(57)【要約】【課題】開放型キッチンに食器洗い機を組み込んでも、キッチンとの調和が十分に図れるようにすること。【解決手段】開放型キッチン内に食器洗い機を設置する際には、開放空間Ｓに望む筐体の右側面を覆う側面化粧パネル３０を着脱可能に取り付ける。側面化粧パネル３０の材質はステンレス製としている。側面化粧パネル３０を筐体１に取り付けるときには、フランジ部３１を筐体１の天面の側縁部上に重ね、上方から３本のネジ３２にて筐体１の天面に止める。これにより、側面化粧パネル３０が筐体１に固定され、筐体１の側面（右側面）が側面化粧パネル３０で覆われる。筐体１に取り付けられた状態において、側面化粧パネル３０の裏面は、弾性を有する緩衝体３３を介して筐体１の側面に密着する。【選択図】      図４
2004321424.tif 000002
【特許請求の範囲】
【請求項１】
筐体内に配設された洗浄庫内で食器類の洗浄を行なう食器洗い機であって、シンクを有する天板部の下に引き出しなどの収納部がない開放空間が設けられたキッチンの該開放空間の一部に組み込まれるビルトインタイプの食器洗い機において、
キッチンのデザインと調和させるために、前記筐体に着脱可能に取り付けられ、筐体における前記開放空間に臨む側面を覆う側面化粧パネルを備えたことを特徴とする食器洗い機。
【請求項２】
前記側面化粧パネルを、弾性を有する緩衝体を介して前記筐体の側面に密着するように固定したことを特徴とする請求項１に記載の食器洗い機。
【請求項３】
前記側面化粧パネルの上端に、後方に延びるフランジ部を形成し、このフランジ部を前記筐体の天面側縁の上に重ねて、フランジ部の所定箇所を上方からネジ止めすることによって、前記側面化粧パネルを前記筐体に取り付けるようにしたことを特徴とする請求項１または２に記載の食器洗い機。
【請求項４】
筐体内に配設された洗浄庫内で食器類の洗浄を行なう食器洗い機であって、シンクを有する天板部の下に引き出しなどの収納部がない開放空間が設けられたキッチンの該開放空間の一部に組み込まれるビルトインタイプの食器洗い機を、前記キッチン内で載置するための置き台において、
食器洗い機を載せる台本体と、この台本体と一体的に設けられ、食器洗い機の筐体における前記開放空間に臨む側面を覆う化粧パネルとを備えたことを特徴とする食器洗い機の置き台。
【発明の詳細な説明】
【０００１】
【発明の属する技術分野】
この発明は、ビルトインタイプの食器洗い機、及びこの食器洗い機を載置するための置き台に関する。
【０００２】
【従来の技術】
従来、キッチン（流し台）に組み込む、いわゆるビルトインタイプの食器洗い機がある。この食器洗い機にあっては、シンクを有する天板部の下の空間が全て調理器具や調味料などを入れる収納部（例えば、引き出しなど）となった、いわゆるシステムキッチンに、食器洗い機を収容するためのスペースを設け、そのスペース内に収容する形態をとっている。
【０００３】
このため、このような食器洗い機においては、開閉扉を兼ねる前面パネルの表面に、システムキッチンのデザイン（色や材質など）との調和がとれるように化粧パネルが取り付けられる。（例えば、特許文献１参照。）
一方、筐体の左右側面、天面、後面については、キッチン内に隠れてしまって外部からは見えないため、美観を考慮した構成とはなっていない。
【０００４】
【特許文献１】
特開平１１−６２４１０号公報
【０００５】
【発明が解決しようとする課題】
ところで、最近、シンプルなデザインのキッチンとして、図７に示すような、シンク１００を有する天板部１０１の下に、引き出しなどの収納部がない大きな開放空間Ｓが設けられたキッチンが登場してきた（以下、従来のシステムキッチンと区別するため、開放型キッチンと称する）。そこで、このような開放型キッチンにおける開放空間Ｓの一部に、上記のようなビルトインタイプの食器洗い機を組み込むことが考えられる。
【０００６】
しかしながら、この場合、組み込まれた食器洗い機における筐体の少なくとも一方の側面が、キッチンの開放空間Ｓに臨んでしまうことになり、その側面が外部から見える状態となるので、美観を損ねたり、キッチンのデザインとの調和性を損ねたりする虞がある。
【０００７】
本発明は、ビルトインタイプの食器洗い機、及び、この食器洗い機を載置する置き台に関し、上記のような開放型キッチンに食器洗い機を組み込んでも、キッチンとの調和が十分に図れるようにすることを目的としている。
【０００８】
【課題を解決するための手段および発明の効果】
上記の目的を達成するための本発明の食器洗い機は、筐体内に配設された洗浄庫内で食器類の洗浄を行なう食器洗い機であって、シンクを有する天板部の下に引き出しなどの収納部がない開放空間が設けられたキッチンの該開放空間の一部に組み込まれるビルトインタイプの食器洗い機において、
キッチンのデザインと調和させるために、前記筐体に着脱可能に取り付けられ、筐体における前記開放空間に臨む側面を覆う側面化粧パネルを備えたことを特徴としている。
【０００９】
この構成では、開放型キッチンに食器洗い機を組み込む際には、開放型キッチンの開放空間に臨む筐体の側面を、美観性があり、キッチンのデザインと調和がとれた側面化粧パネルで覆う。側面化粧パネルの材質や色は、キッチンの材質や色にあわせる。例えば、キッチンがステンレス素材であれば、パネルをステンレス材で構成する。一方、従来のシステムキッチンに組み込む際には、筐体の側面が外部から見えなくなるので、側面化粧パネルは取り付けない。
【００１０】
したがって、上記の構成によれば、開放型キッチンに組み込んだ場合にも、側面化粧パネルを取り付けることによって、開放型キッチンとの調和を十分に図ることができる。さらに、側面化粧パネルによって、開放空間側に漏れる洗浄運転時の騒音も低減することができる。しかも、従来のシステムキッチンに対応したものとは別に、開放型キッチンに対応した食器洗い機を開発する必要がないので、製造コストを安価に抑えることができる。
【００１１】
さらに、本発明の食器洗い機においては、前記側面化粧パネルを、弾性を有する緩衝体を介して前記筐体の側面に密着するように固定することが望ましい。
【００１２】
この構成では、洗浄運転中の洗浄水の衝撃によって筐体側面が振動しても、緩衝体によって吸収することができるので、筐体側面と側面化粧パネルとの間でのビビリ音の発生を防止することができる。
【００１３】
なお、緩衝体を側面化粧パネルと同様の大きさとし、パネルの全面が緩衝体を介するようにすることが最も望ましいが、全面ではなく、パネルの一部の箇所だけでも構わない。
【００１４】
さらに、本発明に食器洗い機においては、前記側面化粧パネルの上端に、後方に延びるフランジ部を形成し、このフランジ部を前記筐体の天面側縁の上に重ねて、フランジ部の所定箇所を上方からネジ止めすることによって、前記側面化粧パネルを前記筐体に取り付けるようにすることが望ましい。
【００１５】
この構成では、ネジによって側面化粧パネルを強固に止めることができる上に、ネジの頭が側面に現れないので外部から見えにくく、一層見栄えがよくなる。
【００１６】
次に、上記の目的を達成するための本発明の食器洗い機の置き台は、筐体内に配設された洗浄庫内で食器類の洗浄を行なう食器洗い機であって、シンクを有する天板部の下に引き出しなどの収納部がない開放空間が設けられたキッチンの該開放空間の一部に組み込まれるビルトインタイプの食器洗い機を、前記キッチン内で載置するための置き台において、
食器洗い機を載せる台本体と、この台本体と一体的に設けられ、食器洗い機の筐体における前記開放空間に臨む側面を覆う化粧パネルとを備えたことを特徴としている。
【００１７】
この構成では、開放型キッチンに組み込むために、食器洗い機が置き台に載置されると、開放空間に臨む筐体の側面が、置き台と一体的に設けられた化粧パネルで覆われる。よって、食器洗い機を置き台に載置して開放型キッチンに組み込んだときに、開放型キッチンとの調和を十分に図ることができる。
【００１８】
しかも、食器洗い機としては、筐体の側面に特別に美観性をもたせる必要がなく、このため、従来のシステムキッチンに対応したものとは別に、開放型キッチンに対応した食器洗い機を開発する必要がないので、製造コストを安価に抑えることができる。
【００１９】
【発明の実施の形態】
以下、まず、本発明の一実施例による食器洗い機について図面を参照して説明する。本実施例のビルトインタイプの食器洗い機は、上面に食器投入用の開口を有する洗浄庫を、前面が開口した筐体から前方に引き出し自在に設けた、いわゆる引き出し式の食器洗い機である。勿論、本発明の食器洗い機は、このような引き出し式の食器洗い機に限定されるものではない。
【００２０】
図１は本実施例の食器洗い機を、開放型キッチンに組み込んだ状態を示す正面図である。食器洗い機は、開放型キッチンの開放空間Ｓの正面視で左隅に、置き台５０に載せられた状態で設置されている。
【００２１】
図２、図３により本実施例の食器洗い機の全体構成を説明する。図２及び図３は本食器洗い機の全体構成を示す概略縦断面図であり、図２は洗浄庫を筐体内に完全に収納した状態、図３は洗浄庫を筐体から引き出す途中の状態である。
【００２２】
前面が開口した筐体１の内部には上面開口３を有する洗浄庫２が配設され、洗浄庫２の内部には食器類を整列配置するための食器籠４が設置されている。筐体１内の上方空間には、洗浄庫２の上面開口３を閉塞するための上蓋５が、前後一対のリンク６、６’を含む左右一対の平行リンク機構により上下動自在に配置されている。洗浄庫２の前壁２ａには、筐体１の前面開口を閉塞する開閉扉を兼ねた前面パネル７が着脱可能に取り付けられており、前面パネル７と洗浄庫２とは一体に、筐体１の両側壁内側に略水平に架設された案内レール８に沿って前方に引き出し自在となっている。
【００２３】
前面パネル７は、上部に設けた操作部７１と、この操作部７１より下に設けた化粧面部７２とで構成される。操作部７１は庇状に突出した斜面部７１ａを有しており、その斜面部７１ａには各種の操作キーや表示器を備える操作パネル９が設けられている。この斜面部７１ａの下側は内側に窪んだ把手部１０に形成されており、把手部１０には左右方向に回動可能な操作レバー１１が設けられている。この操作レバー１１の左右方向の回動動作は、洗浄庫２の前壁２ａと前面パネル７との間で上方に突出したラッチバー１２に連動しており、使用者による操作レバー１１の操作に連動して洗浄庫２の引き出し動作を阻止する（つまりラッチする）又はその阻止を解除することができるようになっている。前面パネル７の化粧面部７２には、キッチンのデザイン（色や材質など）との調和を図るため、キッチンに応じた化粧パネル２０が取り付けられている。
【００２４】
本食器洗い機では、操作レバー１１の操作に連動して上記ラッチバー１２のほか、上蓋５の上下動、つまり洗浄庫２の上面開口３の閉塞・開放動作が行われるように構成されている。すなわち、図２に示すように、洗浄庫２が筐体１内に完全に収納された状態において操作レバー１１をラッチ方向に回動させると、ラッチバー１２が回動して洗浄庫２が引き出せない状態に係止するとともに、上蓋５が降下して洗浄庫２の上面に密着して上面開口３を閉塞する。一方、使用者が操作レバー１１をラッチ解除方向に回動させると、図３に示すように上蓋５が上昇して洗浄庫２の上面開口３に接しない状態となり、またラッチバー１２の係止も解除されるため、洗浄庫２を筐体１内から前方へと自由に引き出すことができるようなる。
【００２５】
洗浄庫２の後方には図示しない給水バルブを備えた伸縮自在の給水ホース１３が接続されており、給水バルブが開かれると外部の水道栓等から供給された水が給水ホース１３を通して洗浄庫２内に注がれる。洗浄庫２の前部底面には大きく窪んだ貯水槽１４が連通して配設されており、洗浄庫２内に注がれた水は貯水槽１４に流れ込んで貯留される。この貯水槽１４の上部には、食器洗浄時に食器から流れ落ちる食物の残滓を捕集するためのメッシュ状のフィルタ１５が着脱自在に設けられている。食器へ洗浄水を噴き掛ける洗浄手段として、洗浄庫２の底部中央には、上面に複数の水噴出穴が形成された回転自在のノズルアーム１６が設けられ、洗浄庫２の底面下方には洗浄兼排水ポンプ１７が配置されている。洗浄兼排水ポンプ１７は両回転方向に回転駆動可能なモータを含み、このモータが正転方向に回転するとき洗浄兼排水ポンプ１７は洗浄ポンプとして機能し、逆転方向に回転するとき排水ポンプとして機能する。
【００２６】
図２に示すように洗浄庫２が筐体１内に完全に収納された状態にあって洗浄運転やすすぎ運転時には、図示しない給水バルブが開放されて、給水ホース１３を通して洗浄庫２内に水が供給される。洗浄庫２内に供給された水は貯水槽１４を含む洗浄庫２の底部に溜まる。この貯留水は洗浄庫２の底部に配設されたヒータ１８により適度に加熱される。この状態で洗浄兼排水ポンプ１７が洗浄ポンプとして駆動されると、貯水槽１４から吸引された温水がノズルアーム１６へと圧送され、水噴出穴から洗浄庫２内に噴射される。この噴射の勢いによりノズルアーム１６は回転する。これにより、食器籠４に収容されている食器類に水が吹き掛かって汚れが落ちる。食器に付着していた食物の残滓はフィルタ１５に捕集され、水は貯水槽１４に流れ込んで再び循環して使用される。
【００２７】
なお、図が煩雑になるため記載を省略しているが、洗浄庫２の前壁２ａと前面パネル７との間には送風ファンなどを含む送風手段と排気手段とが備えられており、乾燥行程時には送風手段により洗浄庫２内に外気が供給されて、その外気はヒータ１８により加熱されて食器に当たり、食器から発する水蒸気を含む空気は排気手段により機外へと排出されるようになっている。
【００２８】
さて、本食器洗い機は、主として、システムキッチンに組み込まれることを前提として構成されており、システムキッチンに組み込まれてしまえば、筐体１の左右の側面、天面、後面がキッチン内に隠れてしまって外部からは見えない。よって、筐体１自身は、美観を考慮した構成とはなっていない。特に、本食器洗い機にあっては、筐体１の側面に案内レール８を取り付けて、この案内レール８で洗浄庫２を支持している。この場合、筐体１の側面には、かなりの重量がかかるので、強度を高めるために座押し部が設けられている。また、案内レール８を取り付けるため、案内レール８の爪部を引っ掛ける孔なども設けられている。よって、筐体１の側面の見栄えが特に悪くなっている。このような食器洗い機を、開放型キッチンにそのまま組み込んでしまうと、美観を損ねたり、キッチンとの調和性を損ねたりする虞がある。
【００２９】
そこで、本食器洗い機においては、図１に示すように、開放型キッチン内に食器洗い機を設置する際には、開放空間Ｓに望む筐体１の側面（正面視で右側面）を覆う側面化粧パネル３０を筐体１に着脱可能に取り付けるようにしている。この側面化粧パネル３０の詳細な構成について、図４及び図５を参照して、以下に説明する。なお、図４は後方から見た食器洗い機の斜視図であり、図５は図４におけるＡ−Ａ断面図である。
【００３０】
側面化粧パネル３０は、やや横長の四角いパネルであって、その横幅は、筐体１の奥行き寸法に略等しく、例えば、５３０ｍｍであり、その縦幅は、筐体１の高さ寸法よりも少し短く、例えば４１０ｍｍとなっている。また、その板厚は、例えば０．４５ｍｍとなっている。側面化粧パネル３０は、キッチンのデザイン（色や材質など）に合わせて用意されており、本実施例では、開放型キッチンがステンレス調である（ステンレス素材からなる）ため、それに合わせて材質をステンレス製としている。
【００３１】
側面化粧パネル３０の上端には、上端部を略９０°折り曲げることによって、後方に延びるフランジ部３１を一体に形成している。このフランジ部３１には、両端部と中央部の合計３箇所にネジ孔が設けられている。
【００３２】
こうして、側面化粧パネル３０を筐体１に取り付けるときには、フランジ部３１を筐体１の天面の側縁部上に重ね、上方から３本のネジ３２にて筐体１の天面に止める。これにより、側面化粧パネル３０が筐体１に固定され、筐体１の側面（右側面）が側面化粧パネル３０で覆われる。このとき、側面化粧パネル３０の縦幅は筐体１の高さよりも短いため、側面化粧パネル３０と食器洗い機の載置面との間には少しの隙間Ａができる（図１参照）。
【００３３】
筐体１に取り付けられた状態において、側面化粧パネル３０の裏面は、弾性を有する緩衝体３３を介して筐体１の側面に密着する（図５参照）。この緩衝体３３は、帯状をした幅約３０ｍｍ、厚さ約１ｍｍのポリエチレンからなり、側面化粧パネル３０の裏面の両側縁部及び下縁部に沿って配置されている。この緩衝体３３には、両面に接着剤が塗付されており、側面化粧パネル３０を筐体１の側面に接着する役割も果たしている。なお、緩衝体３３は、側面化粧パネル３０と同様な形状とし、側面化粧パネル３０の裏面全体を、緩衝体３３を介して筐体１の側面に密着させるものとしてもよい。
【００３４】
以上、本食器洗い機の構成によれば、開放型キッチンに組み込む際には、筐体１における開放空間Ｓに臨む側面を、美観性があり、キッチンのデザインと調和がとれた側面化粧パネル３０で覆うようにしたので、従来のシステムキッチンだけでなく、開放型キッチンに組み込む場合であっても、キッチンとの調和を十分に図ることができる。さらに、側面化粧パネル３０によって、開放空間側に漏れる洗浄運転時の騒音も低減することができる。しかも、開放型キッチンに対応した食器洗い機を別に開発する必要がなく、製品コストを安価に抑えることができる。
【００３５】
また、側面化粧パネル３０を、弾性を有する緩衝体３３を介して筐体１の側面に密着するように固定したので、洗浄運転中の洗浄水の衝撃によって筐体１の側面が振動しても、緩衝体３３によってこの振動を吸収することができる。これにより、筐体１の側面と側面化粧パネル３０との間でビビリ音が発生するのを防止できる。
【００３６】
さらに、側面化粧パネル３０の上端に後方に延びるフランジ部３１を形成して、このフランジ部３１の所定箇所を上方からネジ止めすることによって、側面化粧パネル３０を筐体１に取り付けるようにしたので、ネジ３２によって側面化粧パネル３０を強固に止めることができる上に、ネジ３２の頭が側面に現れないので外部から見えにくく、一層見栄えがよくなる。
【００３７】
なお、見栄えの点から言えば、側面化粧パネル３０の下端が食器洗い機の載置面まで延びていて、筐体１の側面を下まで全て覆うことが望ましい。しかしながら、食器洗い機が載置される置き台にはいくつか種類があり、置き台の載置面の両端部に食器洗い機のずれを防止する器具を取り付けるようなものも考えられる。このような場合、側面化粧パネル３０が載置面まで延びていると、その器具の邪魔になる虞がある。このため、本実施例では、側面化粧パネル３０の下端を食器洗い機の載置面まで延ばさずに、上述した隙間Ａを設けている。
【００３８】
また、本実施例では、食器洗い機が開放空間Ｓの左隅に設置されており、筐体１の左側面は外部からは見えにくいので、側面化粧パネル３０は、筐体１の右側面のみに取り付けるようにしている。しかしながら、例えば、開放空間Ｓの中央付近に食器洗い機が設置されるなど、筐体１の両側面が開放空間Ｓに臨むような場合には、側面化粧パネル３０を筐体１の両側面に取り付けるようにしてもよい。
【００３９】
次に、本発明の一実施例による食器洗い機の置き台について図面を参照して説明する。本実施例の置き台４０は、食器洗い機を開放型キッチンに組み込む際、食器洗い機を載置すると共に、見栄えの悪い筐体１の側面を、美観性があり、キッチンと調和のとれら化粧パネル４３で覆い隠せるよう構成したものである。
【００４０】
図６は、本実施例の置き台４０の構成を示す、食器洗い機を置き台４０に載置した状態の斜視図である。この置き台４０は、左右のフレーム４１（４１Ｌ，４１Ｒ）と、これらフレーム４１の下部位置において両フレーム間に架け渡され、食器洗い機を載置するための載置板４２と、これらフレーム４１における載置板４２より上の位置に着脱可能に取り付けられ、載置板４２に載せられた食器洗い機の側面を覆う化粧パネル４３とで構成される。
【００４１】
フレーム４１における載置板４２より下の部位は、載置板４２を支持する脚部４４として機能し、載置板４２と左右の脚部４４とで、置き台の台本体を構成する。一方、載置板４２より上の部位は、化粧パネル４３の支持部４５として機能する。化粧パネル４３は、ネジにて支持部４５にネジ止めされる。このとき、上述した食器洗い機の側面化粧パネル３０と同様に、化粧パネル４３の上端にフランジ部を設けて、このフランジ部をフレーム４１の上面に重ねて上方からフランジ部をネジ止めするようにして化粧パネル４３をフレーム４１に固定するようにすれば、ネジの頭が外部から見えにくく、見栄えをよくできる。
【００４２】
化粧パネル４３の横幅は、食器洗い機の筐体１の奥行き寸法に略等しくされると共に、縦幅は筐体１の高さに略等しくされ、載置された食器洗い機の筐体１の側面全体を覆うようにされている。化粧パネル４３は、キッチンのデザイン（色や材質）に合わせて用意されており、本実施例では、組み込まれる開放型キッチンがステンレス調であるため、化粧パネル４３の材質をステンレス製としている。
【００４３】
以上、本実施例の置き台４０の構成によれば、開放型キッチンに組み込むために、食器洗い機が置き台４０に載置されると、筐体１における開放空間Ｓに臨む側面が化粧パネル４３で覆われる。よって、食器洗い機を置き台４０に載置して開放型キッチンに組み込んだときに、開放型キッチンとの調和を十分に図ることができる。
【００４４】
しかも、食器洗い機としては、筐体１の側面に特別に美観性をもたせる必要がなく、このため、従来のシステムキッチンに対応したものとは別に、開放型キッチンに対応した食器洗い機を開発する必要がないので、製造コストを安価に抑えることができる。
【００４５】
なお、本実施例では、化粧パネル４３を置き台４０の左右に取り付けるようにしているが、筐体１の一方の側面だけが開放空間Ｓに臨み、他方の側面は外部から隠れてしまうような場合は、一方の側面のみに取り付けるようにしてもよい。
【００４６】
以上、本発明の一実施例について説明したが、本発明は、上記の実施例の内容に限定されるものではなく、請求項記載の範囲内において種々の変更が可能である。
【図面の簡単な説明】
【図１】本発明実施例の食器洗い機を開放型キッチンに取り付けた状態を示す斜視図である。
【図２】本発明実施例の食器洗い機の全体構成を示す、洗浄庫を筐体内に完全に収納した状態の概略縦断面図である。
【図３】本発明実施例の食器洗い機の全体構成を示す、洗浄庫を筐体から引き出す途中の状態の概略縦断面図である。
【図４】側面化粧パネルが取り付けられた食器洗い機の構成を示す、後方から見た食器洗い機の斜視図である。
【図５】図４におけるＡ−Ａ断面図である。
【図６】本発明実施例の置き台の構成を示す、食器洗い機を置き台に載置した状態の斜視図である。
【図７】開放型キッチンの構成を示す斜視図である。
【符号の説明】
１    筐体
２    洗浄庫
３０  側面化粧パネル
３１  フランジ部
３３  緩衝体
４０  置き台
４２  載置板（台本体）
４３  化粧パネル
４４  脚部（台本体）
【図１】
2004321424.tif 000003
【図２】
2004321424.tif 000004
【図３】
2004321424.tif 000005
【図４】
2004321424.tif 000006
【図５】
2004321424.tif 000007
【図６】
2004321424.tif 000008
【図７】
2004321424.tif 000009